(57)【要約】【課題】ノズルから計量カップの中に液体を注ぐ際、特段の操作を必要とすることなく、注ぎミスが防止できる液体収納容器を提供すること。【解決手段】液体洗浄剤等の液体を先端のノズル４から注ぐ液体収納容器１０であって、ノズル４は、略筒状であり、筒状外周面の一部又は全部には、滑り防止用凹凸部５を形成した。【選択図】図１
2019089563.tif 000002
【特許請求の範囲】
【請求項１】
液体洗浄剤等の液体を先端のノズルから注ぐ液体収納容器であって、該ノズルは、略筒状であり、筒状外周面の一部又は全部には、滑り防止用凹凸部を形成したことを特徴とする液体収納容器。
【請求項２】
該ノズルの上端部が斜めにカットされたことを特徴とする請求項１記載の液体収納容器。
【請求項３】
該滑り防止用凹凸部は、該ノズルの先端から該ノズルの延出方向に延びる線上に形成されたことを特徴とする請求項２記載の液体収納容器。
【請求項４】
該滑り防止用凹凸部は、１または２以上の突起であることを特徴とする請求項１〜３のいずれか１項に記載の液体収納容器。
【請求項５】
該突起は、該ノズルの延出方向と直行する方向に延びる横長の突起であることを特徴とする請求項４記載の液体収納容器。
【請求項６】
該滑り防止用凹凸部は、多数の微小凹凸であることを特徴とする請求項１〜３のいずれか１項に記載の液体収納容器。
【請求項７】
該滑り防止用凹凸部は、１または２以上の該ノズルの延出方向と直行する方向に延びる横溝であることを特徴とする請求項１〜３のいずれか１項の液体収納容器。
【請求項８】
該液体収納容器は、液体を収納する容器本体と、該容器本体の口元部に取り付けられる注ぎ口部と、該注ぎ口部に装着されると共に、使用時に該ノズルから注がれる液体を一時貯留する計量キャップとを有し、該ノズルは、該注ぎ口部に形成されたものであることを特徴とする請求項１〜７のいずれか１項に記載の液体収納容器。 
【発明の詳細な説明】
【技術分野】
【０００１】
本発明は、計量カップの開口縁である上端にノズルの外周面を当てて、液体を注ぐ際、ノズルが滑らず、注ぎ安定性に優れる液体収納容器に関するものである。
【背景技術】
【０００２】
一般家庭において、洗濯機を使用した衣類等の洗濯は、ほぼ毎日行う家事のひとつである。近年、衣類等の洗濯で使用する洗浄剤等は、液体が多く、且つ洗浄剤、柔軟剤及び漂白剤など種類も多い。これらの洗浄剤は、例えば、液体収納容器に収納され、液体収納容器のキャップを兼ねる計量カップに一時貯留し、その後、洗濯機に注がれる。
【０００３】
また、液体洗浄剤は、界面活性剤を多く含むため、粘稠であり、液だれがすると、後処理などが面倒となる。このため、液体収納容器は、液だれを防止する工夫がされている。例えば、特開２０１０-３６９２９号公報には、ノズル部材が、基部１４ａから軸方向先方に向けて立ち上がり、その側面に開放部を有する概略樋状のノズル１４と、該基部１４ａに結合された略円錐状に中央部に向けて下降する漏斗状底部２６と、ノズル基部１４ａから外方向を環状に取り囲んで形成された外側環状傾斜底部２４と、前記漏斗状底部２６および前記外側環状傾斜底部２４を経て前記ノズル１４との間に空間２８を隔てて立ち上がる筒状壁部３０とを有し、漏斗状底部２６に、最下部２６ａからノズル１４内壁面方向に向けて内容液の注出および空気置換をするための開口部２６ｂを設け、ノズル１４内壁面に前記開口部２６ｂの周辺から先方に向けて立ち上がる液流幅を制御する一対のガイド壁３２を形成した液体注出容器が開示されている。この液体注出容器によれば、ノズル脇からの液だれを防止し、且つ流出液量の調整が自在で、詰め替え作業性にも優れる。また、ノズル底部の周囲で液が残留することを防止する技術（特開２０００-３０２１５５号公報）や、液モレした液を容器内に回収する技術も提案されている（特開２０００-２５８２１号公報）。
【先行技術文献】
【特許文献】
【０００４】
【特許文献１】特開２０１０-３６９２９号公報
【特許文献２】特開２０００-３０２１５５号公報
【特許文献３】特開２０００-２５８２１号公報
【発明の開示】
【発明が解決しようとする課題】
【０００５】
しかしながら、液体収納容器の液だれの防止およびたれた液の回収の問題は、ほぼ解消しつつあるものの、計量カップの中に液体を注ぐ際、注ぎミスが生じ、計量カップに適量以上の量を過剰に注ぎ込んでしまうという問題がある。すなわち、計量カップの中に液体を注ぐには、図１１に示すように、適量を採るため、計量カップ４０の壁端４１に、液体収納容器１００のノズル３０の外周面を当てて注意深く注ぐ。液体収納容器１００の未使用時、ノズル３０は、計量カップ４０で蓋されており、且つ容器本体２０に収納された液体に晒されているため（液体の気相中に存在するため）、ノズル３０の外周面は、洗浄剤が吸着して、滑りやすくなっている。また、洗濯はその他の家事に追われる朝方が多いため、余裕がなく、計量カップの中に液体を注ぐ操作が雑になり易い。このため、液体収納容器１００のノズル３０は、計量カップ４０の開口縁である壁端で滑りやすく、特に、ノズル３０の先端方向（符号Ｘ方向）に動き易くなる。この場合、計量カップ４０に適量以上の量を過剰に注ぎ込んでしまうという問題がある。この場合、余剰分を容器本体２０に戻すことは、多忙の家事の中、面倒なこととなる。従って、計量カップ４０の中に液体を注ぐ際、特段の操作を必要とすることなく、注ぎミスが防止できる液体収納容器が望まれている。
【０００６】
従って、本発明の目的は、ノズルから計量カップの中に液体を注ぐ際、特段の操作を必要とすることなく、注ぎミスが防止できる液体収納容器を提供することにある。
【課題を解決するための手段】
【０００７】
かかる実情において、本発明者は鋭意検討を行った結果、ノズルの計量カップの開口縁である上端に当たる部分に滑り防止用の凹凸を設ければ、ノズルは滑り難くなり、計量カップに対するノズルの位置が固定でき、適量を注ぐことができることを見出し、本発明を完成するに至った。
【０００８】
すなわち、本発明は、液体洗浄剤等の液体を先端のノズルから注ぐ液体収納容器であって、該ノズルは、略筒状であり、筒状外周面の一部又は全部には、滑り防止用凹凸部を形成したことを特徴とする液体収納容器を提供するものである。
【０００９】
また、本発明は、該ノズルの上端部が斜めにカットされたことを特徴とする前記の液体収納容器を提供するものである。
【００１０】
また、本発明は、該滑り防止用凹凸部は、該ノズルの先端から該ノズルの延出方向に延びる線上に形成されたことを特徴とする前記の液体収納容器を提供するものである。
【００１１】
また、本発明は、該滑り防止用凹凸部は、１または２以上の突起であることを特徴とする前記の液体収納容器を提供するものである。
【００１２】
また、本発明は、該突起は、該ノズルの延出方向と直行する方向に延びる横長の突起であることを特徴とする前記の液体収納容器を提供するものである。
【００１３】
また、本発明は、該滑り防止用凹凸部は、多数の微小凹凸であることを特徴とする前記の液体収納容器を提供するものである。
【００１４】
また、本発明は、該滑り防止用凹凸部は、１または２以上の該ノズルの延出方向と直行する方向に延びる横溝であることを特徴とする前記の液体収納容器を提供するものである。
【００１５】
また、本発明は、該液体収納容器は、液体を収納する容器本体と、該容器本体の口元部に取り付けられる注ぎ口部と、該注ぎ口部に装着されると共に、使用時に該ノズルから注がれる液体を一時貯留する計量キャップとを有し、該ノズルは、該注ぎ口部に形成されたものであることを特徴とする前記の液体収納容器を提供するものである。
【発明の効果】
【００１６】
本発明によれば、ノズルの滑り防止用凹凸部を、計量キャップの開口側の壁端に当てて、計量カップの中に液体を注ぐため、ノズルは計量キャップの壁端上を滑り難くなり、計量カップに対するノズルの位置が固定でき、適量を注ぐことができる。
【図面の簡単な説明】
【００１７】
【図１】本発明の実施の形態における液体収納容器の斜視図である。
【図２】図１の液体収納容器の他の斜視図である。
【図３】図１の液体収納容器の注ぎ口部の拡大正面図である。
【図４】図１の液体収納容器の注ぎ口部の拡大断面図である。
【図５】図１の液体収納容器の使用方法を説明する図である。
【図６】液体収納容器の注ぎ口部の他の変形例である。
【図７】液体収納容器の注ぎ口部の他の変形例である。
【図８】液体収納容器の注ぎ口部の他の変形例である。
【図９】液体収納容器の注ぎ口部の他の変形例である。
【図１０】図９の液体収納容器の注ぎ口部の側面図である。
【図１１】従来の液体収納容器の使用方法を説明する図である。
【発明を実施するための形態】
【００１８】
本発明の液体収納容器は、液体洗浄剤等の液体を先端のノズルから注ぐ液体収納容器であって、該ノズルは、略筒状であり、筒状外周面の一部又は全部には、滑り防止用凹凸部を形成したものである。
【００１９】
本発明において、液体収納容器は、液体洗浄剤等の液体を先端のノズルから注ぐ液体収納容器であれば、特に制限されないが、液体を収納する容器本体と、該容器本体の口元部に取り付けられる注ぎ口部と、該注ぎ口部に装着されると共に、使用時に該ノズルから注がれる液体を一時貯留する計量キャップとを有するものが、使い勝手がよい点で好ましい。この場合、ノズルは、注ぎ口部に形成される。注ぎ口部は、容器本体と一体となったもの、あるいは、注ぎ口部と容器本体がそれぞれ別部材であり、両者がネジや公知の嵌合手段で嵌められたものが挙げられる。また、計量キャップは、容器本体に装着されたものに限定されず、液体収納容器とは別に、備え付けのものを使用するものであってもよい。本発明において、液体収納容器の内容物である液体としては、主にランドリーで使用する洗浄剤、柔軟剤および漂白剤等が挙げられる。
【００２０】
ノズルとしては、略筒状であれば、特に制限されず、筒状のもの、上端部が斜めにカットされたもの、および側面の一部がカットされた樋状のものが挙げられる。この内、上端部が斜めにカットされ、且つ側面の一部がカットされた樋状のものが、液ダレ防止効果が高く、たれた液の容器本体内への回収が容易であり、また、パウチからの詰め替え作業が楽になる点で好ましい。また、上部をカットされていれば、滑り防止用凹凸部の形成位置が明確となり、設計し易くなる。
【００２１】
本発明において、滑り防止用凹凸部としては、計量カップの上端に、ノズルの滑り防止用凹凸部を当てた際、注ぎ方向への滑りが防止又は抑制されるものであればよく、例えば、突起および溝が挙げられる。突起としては、半円断面の突起、四角断面の突起、楕円断面の突起およびノズルの延出方向と直行する方向に延びる横長の突起が挙げられる。
【００２２】
突起高さとしては、特に制限されず、２ｍｍ以下、特に０．３〜１．０ｍｍ、好ましくは０．３〜０．８ｍｍであればよい。横長の突起の場合、横の長さは５ｍｍ以上であればよい。横長の突起としては、ノズルの外周面を１周巻く１条巻きの突起も含まれる。突起高さが、上記範囲であれば、計量カップの上端に、ノズルの滑り防止用凹凸部を当てた際、ノズルの滑りを防止または抑制できる。突起の個数は、１または２以上である。突起は微小突起の集合である微小凹凸としてもよい。微小突起の突起形状としては、半円断面の突起、半円錐断面、四角断面等の突起形状が挙げられる。
【００２３】
溝としては、ノズルの延出方向と直行する方向に延びる横溝が挙げられる。横溝の断面形状としては、四角形断面、三角形断面、台形断面および半球状断面等が挙げられる。溝深さとしては、１ｍｍ以下、特に０．３〜０．８ｍｍ、好ましくは０．３〜０．５ｍｍであればよい。横溝としては、ノズルの外周面を１周巻く１条巻きの横溝も含まれる。計量カップの上端に、横溝であるノズルの滑り防止用凹凸部を当てた際、ノズルの滑りを防止または抑制できる。
【００２４】
本発明において、滑り防止用凹凸部は、ノズルの外周面の一部または全部に形成されたものである。また、本発明の液体収納容器が注ぎ口部の外周壁を有する場合、滑り防止用凹凸部の形成位置は、側面視において、注ぎ口部の外周壁２３１の上端２３２より上方のノズル外周面である（図４参照）。注ぎ口部の外周壁２３１の上端２３２より下方のノズル外周面に形成しても、滑り防止用凹凸部と計量カップの上端と当接することはできないからである。すなわち、滑り防止用凹凸部の形成位置は、ノズルの外周面（腹）と計量カップの壁端とが接触可能な位置である。また、上端部が斜めにカットされたノズルの場合、滑り防止用凹凸部は、該ノズルのカットされた先端から該ノズルの延出方向に延びる線上に形成すればよい。ノズルのカットされた先端は液体を注ぐ際、下側となるため、その先端から延出方向に延びる線は、ノズルの筒状の外周面の最下の線となり、計量カップと当たるからである。なお、「線上に形成」とは、滑り防止用凹凸部が線上にかかっていればよく、線上を含む一定の幅内に形成されるものを言う。
【００２５】
次に、本発明の実施の形態における液体収納容器を図１〜図１０を参照して説明する。液体収納容器１０は、内容物である液体を収納する容器本体１と、ノズル４を有する容器本体１の口元部に装着される注ぎ口部２と、注ぎ口部２に装着されると共に、使用時にノズル４から注がれる液体を一時貯留する計量キャップ３とを有するものである。
【００２６】
注ぎ口部２は、環状の外周壁２３１と環状の内周壁２２の二重壁であり、内周壁２２の内側には、空間２４を経て上方に起立するノズル４が形成されている。ノズル４と内周壁２２とは下端同士が連通して傾斜状の内底２１を形成している。環状の外周壁２３１を有する外蓋部２３は、容器本体１の口元部に取り付けられて、液体収納容器１０の外周部を形成する。筒状のノズル４の外周壁の一部は切り欠かれた樋状の形状であり、且つこの切り欠きは、ノズルの基部と内周壁２２が接続する内底２１の一部の切り欠き部の連通している。ノズル４の切り欠き部と、内底２１の切り欠き部は、タレた液を容器内に回収できると共に、パウチからの詰め替え作業が楽になる。
【００２７】
液体収納容器１０において、滑り防止用凹凸部は、ノズル４の延出方向と直行する方向に延びる横長の突起５であり、ノズル４の延出方向に所定のピッチで３つ形成されたものである。突起５を３つ形成することで、ノズル４を計量カップの上端に当てる際、概ね当てればよく、都合がよい。実際に計量カップの上端に当たるのは、１個である。また、横長の突起５は、ノズル４のやや先端寄りであって、ノズルの先端４６からノズルの延出方向に延びる線（図３の符号４７の線）上で、且つ長手方向の中心を通るように形成されたものであり、横長の突起５の高さは０．４ｍｍ程度、長さは６ｍｍ程度である。突起断面は半円断面形状である。このような横長の突起５であれば、計量カップ４の壁端に突起５を当てれば、ノズル４が滑ることを防止できる。
【００２８】
次に、液体収納容器１０の使用方法について、図５を参照して説明する。先ず、液体収納容器１０から計量カップ３を取り外す。次いで、計量カップ３に洗濯機に投入する量の洗浄剤を注ぐ。この際、ノズル４の横長の突起５が形成されている箇所を概ねの目安としてあてがう。家事は主婦や主夫にとって、多忙の中行うものであり、正確な位置決めはできないのが現状であり、概ねの目安で足りる。次いで、ノズル４から計量カップ３に液体を注ぐ。この際、ノズル４をノズル４が延出する先端方向に少し移動させ、突起５のひとつが計量カップ３の壁端に当たるようにする。これにより、ノズル４と計量カップ３の位置が決まる。そして、容器本体１を少し傾け、液体を計量カップ３に注げば、ノズル４が滑ることなく、容易に洗浄剤を計量することができる。
【００２９】
液体収納容器１０としては、図１〜図５のものに限定されず、種々の変形を採ることができる。突起５は、２つでも、４つ以上であってもよい。突起高さは、０．４ｍｍを超えるものであってもよい。突起の断面形状は、半円形状に限定されず、種々の断面形状のものが使用できる。
【００３０】
次に、滑り防止用凹凸部の変形例を図６を参照して説明する。図６において、図１〜図５と同一構成要素には同一符号を付して、その説明を省略し、異なる点について主に説明する。図６において、図１〜図５と異なる点は、突起の形状である。図６の突起５ａは、図５の突起５の長さを長くして、筒状のノズル４ａを周巻き（１条巻き）にしたものである。突起５ａは、ノズル４の先端がカットされたものではなく、先端のどの部分からも注ぐことができる形状のノズルにおいて特に効果を発揮する。
【００３１】
ノズル４ａの突起５ａとしては、図６のものに限定されず、種々の変形を採ることができる。突起５ａは、２つでも、４つ以上であってもよい。突起高さは、０．４ｍｍを超えるものであってもよい。突起の断面形状は、半円形状に限定されず、種々の断面形状のものが使用できる。
【００３２】
次に、滑り防止用凹凸部の変形例を図７を参照して説明する。図７において、図１〜図５と同一構成要素には同一符号を付して、その説明を省略し、異なる点について主に説明する。図７において、図１〜図５と異なる点は、突起の形状である。図７の突起５ｂは、図５の突起５の長さを短くして、点状の突起としたものである。突起５ｂは、突起５と同様の効果を奏する。
【００３３】
ノズル４ｂの突起ｂとしては、図７のものに限定されず、種々の変形を採ることができる。突起５ｂは、２つでも、４つ以上であってもよい。また、ノズル４ｂの延出する方向と直交する方向に並んで（横並び）２つ以上、形成してもよい。突起高さは、０．４ｍｍを超えるものであってもよい。突起の断面形状は、半円形状に限定されず、種々の断面形状のものが使用できる。
【００３４】
次に、滑り防止用凹凸部の変形例を図８を参照して説明する。図８において、図１〜図５と同一構成要素には同一符号を付して、その説明を省略し、異なる点について主に説明する。図８において、図１〜図５と異なる点は、突起の形状である。図８の突起５ｃは、多数の微小突起、すなわち、微小突起の集合体としたものである。突起５ｃの場合、計量カップ３の上端４１のいずれの箇所に突起５ｃがきてもよい。突起５ｃは、突起５と同様の効果を奏する。ノズル４ｃの突起５ｃとしては、図８のものに限定されず、種々の変形を採ることができる。突起の断面形状は、半円形状に限定されず、種々の断面形状のものが使用できる。例えば、突起の起立方向に高さ１ｍｍ程度など、高くしてもよい。また、突起の集合密度は粗くしてもよい。突起５ｃは、突起５と同様の効果を奏する。
【００３５】
次に、滑り防止用凹凸部の変形例を図９および図１０を参照して説明する。図９および図１０において、図１〜図５と同一構成要素には同一符号を付して、その説明を省略し、異なる点について主に説明する。図９および図１０において、図１〜図５と異なる点は、滑り防止用凹凸部の形状である。図９および図１０の滑り防止用凹凸部５ｄは、断面が逆台形状の横溝である。横溝５ｄの高さは０．４ｍｍ程度、溝長さは６ｍｍ程度である。横溝５ｄは、突起５と同様の効果を奏する。ノズル４ｄの横溝５ｄとしては、図９および図１０のものに限定されず、種々の変形を採ることができる。横溝５ｄの断面形状は、逆台形状に限定されず、種々の断面形状のものが使用できる。横溝５ｄは、２つでも、４つ以上であってもよい。
【００３６】
本発明の液体収納容器は、上記実施の形態例に限定されず、種々の変形例を採ることができる。例えば、容器本体とノズルが一体もので、注ぎ口部が省略されたものであってよい。また、ノズルは先端が斜めにカットされたものに限定されず、斜めカットなしの口先であってもよい。また、ノズルの先端は、液ダレを防止する種々のカットや種々の形状のものが使用できる。
【産業上の利用可能性】
【００３７】
本発明によれば、ノズルの滑り防止用凹凸部を、計量キャップの上端に当てて、計量カップの中に液体を注ぐため、ノズルは計量キャップの壁端上を滑り難くなり、計量カップに対するノズルの位置が固定でき、適量を注ぐことができる。
【符号の説明】
【００３８】
１    容器本体
２    注ぎ口部
３    計量カップ
４、４ａ〜４ｄ    ノズル
５、５ａ〜５ｄ    滑り防止用凹凸部
【図１】
2019089563.tif 000003
【図２】
2019089563.tif 000004
【図３】
2019089563.tif 000005
【図４】
2019089563.tif 000006
【図５】
2019089563.tif 000007
【図６】
2019089563.tif 000008
【図７】
2019089563.tif 000009
【図８】
2019089563.tif 000010
【図９】
2019089563.tif 000011
【図１０】
2019089563.tif 000012
【図１１】
2019089563.tif 000013